(57)【要約】  【課題】  簡単な構成で人手がかからない水槽洗浄装置を提供すること。  【解決手段】  略球体状を呈するとともに、内部に中心に向かう突起１１ａが形成されたケース１１と、ケース１１の内部に収納され、突起１１ａに回転出力軸が１５ａ固定されたモータ１５と、回転出力軸１５ａからその軸心方向に直交する方向に所定距離離れた位置に設けられるとともに、モータ１５に樹脂部材１６を介して取り付けられた錘１７と、ケース１１の外表面に取り付けられたブラシ１３と、回転出力軸１５ａの軸心方向と直交する平面内で形成されると共に、ケース１１の外表面に取り付けられ、ケース１１が回転したときに、ケース１１がブラシ１３を先頭とする方向に進行する押し付け方向及びこの押し付け方向に直交する進行方向のそれぞれの方向に推力を得る羽根部材１２とを具備する浴槽洗浄装置とする。  【選択図】  図１
2005253779.tif 000002
【特許請求の範囲】
【請求項１】
水槽中の水に浮いた状態で水槽の内壁を洗浄する水槽洗浄装置であって、
略球体状を呈するとともに、内部が中空に形成されたケースと、
該ケースの内壁から該ケース内部に向かう方向に延在して形成された突起と、
該ケースの内部に収納され、前記突起に回転出力軸が固定された回転駆動手段と、
前記回転出力軸から軸心方向に直交する方向に所定距離離れた位置に設けられるとともに、前記回転駆動手段に取り付けられた錘と、
前記ケース外表面に取り付けられたブラシ部材と、
前記回転出力軸の軸心方向と略直交する平面内で形成されるとともに前記ケースの外表面に取り付けられ、前記ケースが前記回転出力軸を軸心として回転したときに、前記ケースが前記ブラシ部材を先頭として移動する押し付け方向及び該押し付け方向に直交する方向のそれぞれの方向成分の推力を得る羽根部材と、
を具備することを特徴とする、水槽洗浄装置。
【発明の詳細な説明】
【技術分野】
【０００１】
本発明は、水槽の内壁面を清掃する水槽洗浄装置に関するものである。尚、本明細書において、水槽とは、液体を受ける容器一般を指し、金魚鉢などの水槽は勿論、浴槽等も包含するものである。
【背景技術】
【０００２】
浴槽の内壁面を清掃する浴槽洗浄装置としては、従来様々なものが提案されている。例えば、特許文献１には、風呂蓋にノズルを設け、このノズルから洗浄液が噴出する構成の浴槽洗浄装置が記載されている。また、特許文献２、３には、長尺のパイプの先端にブラシを取り付け、ブラシをモータで回転させることによって浴槽を清掃する浴槽洗浄装置が記載されている。
【特許文献１】実開平０６−０００３４４号公報
【特許文献２】特開２００２−２５３４７３号公報
【特許文献３】特開２００２−１７７０４９号公報
【発明の開示】
【発明が解決しようとする課題】
【０００３】
しかしながら、特許文献１に記載の装置は、洗浄水をノズルに供給するための洗浄水回路が必要であり、装置全体がかなり大型化する上、非常に高価格であるという問題がある。さらに、後から取り付けることができないという問題がある。また、特許文献２及び３に記載の装置は、自動洗浄ではなく、人手を要するため、手間がかかるという問題がある。
【０００４】
本発明は、上記実情に鑑みてなされたものであり、簡単な構成で人手がかからない水槽洗浄装置を提供することを、技術的課題とするものである。
【課題を解決するための手段】
【０００５】
上記した技術的課題を解決するためになされた請求項１の発明は、
水槽中の水に浮いた状態で水槽の内壁を洗浄する水槽洗浄装置であって、
略球体状を呈するとともに、内部が中空に形成されたケースと、
該ケースの内壁から該ケース内部に向かう方向に延在して形成された突起と、
該ケースの内部に収納され、前記突起に回転出力軸が固定された回転駆動手段と、
前記回転出力軸から軸心方向に直交する方向に所定距離離れた位置に設けられるとともに、前記回転駆動手段に取り付けられた錘と、
前記ケース外表面に取り付けられたブラシ部材と、
前記回転出力軸の軸心方向と略直交する平面内で形成されるとともに前記ケースの外表面に取り付けられ、前記ケースが前記回転出力軸を軸心として回転したときに、前記ケースが前記ブラシ部材を先頭として移動する押し付け方向及び該押し付け方向に直交する方向のそれぞれの方向成分の推力を得る羽根部材と、
を具備することを特徴とする、水槽洗浄装置とすることである。
【発明の効果】
【０００６】
本発明の浴槽洗浄装置によれば、水槽中の水に浮いた状態で、水槽内壁を洗浄することができる。この場合において、ケース内部に錘を回転出力軸の軸心とは偏心した位置に配設することにより、水槽洗浄装置の姿勢を常に一定の向きにすることができる。また、羽根部材の回転によって水槽洗浄装置のブラシ側を先頭として進行する推力が得られるため、ブラシ側が自動的に水槽内壁に衝突する。そして、ケースの回転と相俟って、ブラシで水槽内壁の汚れを掻き落すことができる。このように、簡単な構成で自動的に洗浄できる浴槽洗浄装置を提供することができる。
【発明を実施するための最良の形態】
【０００７】
以下、本発明に係わる実施の形態を図面にもとづいて説明する。
【０００８】
図１は、本発明の実施形態例である水槽洗浄装置の正面図、図２は、水槽洗浄装置を図１の矢印Ａ方向から見た図である。図に示すように、水槽洗浄装置１は、略球体形状を呈するケース１１と、このケース１１の外表面の円周方向に連なって配設された複数の羽根１２を備える。羽根１２は、本発明の作用を奏するためには一つでも良いが、安定性を考慮すると、好ましくは２つ以上の複数の羽根が配設されていると良い。尚、本例においては、羽根１２は、図２に示すように７個配設されている。
【０００９】
ケース１１の図１示左方の外表面には、ブラシ１３がマジックテープ等の接続手段１９によって連結されている。ブラシ１３の材質は、スポンジやたわしなどの、水槽を洗浄するためのものであれば良い。また、ケース１１の図１示右方の外表面には、押圧部１４が取り付けられている。この押圧部１４は、後述するようにケース１１内に収納されたモータに取り付けられたスイッチを作動させるためのものである。
【００１０】
図３は、本例の水槽洗浄装置１を図１の方向から見た場合のケース１１の内部構造を示す概略図、図４は、本例の水槽洗浄装置１を図２の方向から見た場合のケース１１の内部構造を示す概略図である。図３及び図４に示すように、ケース１１の内部には、前述したようにモータ１５が収納されている。このモータ１５は、回りを樹脂部材１６で覆われている。また、モータ１５には、回転出力を外部に伝達する回転出力軸１５ａが設けられている。一方、ケース１１の内表面からは、ケース１１の中心に向かって延設された突起部１１ａが形成されている。そして、モータ１５の回転出力軸１５ａがケース１１の突起部１１ａに連結固定されている。したがって、モータ１５が作動して回転出力軸１５ａが回転駆動すると、この回転駆動力が突起部１１ａからケース１１に伝達され、ケース１１にも回転力が伝達するようにされている。
【００１１】
また、モータ１５には、スイッチ１５ｂが形成されている。このスイッチ１５ｂは、モータ１５が停止状態のときに押圧されるとモータ１５が回転駆動し、モータ１５が回転駆動状態のときに押圧されるとモータ１５が停止するように構成された、モータ１５の作動・停止スイッチである。一方、ケース１１の内表面からは、ケース１１の中心に向かって延設された伝達棒１１ｂが形成されている。この伝達棒１１ｂは、ケース１１の外表面に取り付けられた押圧部１４に接続されており、押圧部１４を外方向から押圧することにより、その押圧力が伝達棒１１ｂに伝達されて、伝達棒１１ｂが押圧方向に駆動するようにされている。そして、この伝達棒１１ｂとスイッチ１５ｂが接続されている。このような構成のため、ケース１１の外側から押圧部１４を押圧することにより、その押圧力が伝達棒１１ｂを経てスイッチ１５ｂに伝達され、モータ１５の駆動、停止を制御することができる。尚、樹脂部材１６に電池収納部分を設け、この電池収納部分に電池を収納すると共に、モータ１５と電池との電気回路を樹脂部材１６内に形成することにより、スイッチ１５ｂの操作でモータを駆動させることができる。
【００１２】
また、樹脂部材１６には、錘１７が取り付けられている。したがって、錘１７は、樹脂部材１６を介してモータ１５に一体的に取り付けられた構造とされる。この錘１７は、鉛等の金属で一般的に構成される。また、錘１７は、図４に特に示すように、モータ１５の回転出力軸１５ａからその軸心方向（図において紙面の奥行き方向）に直交する方向（図４においては、下方向）に所定距離離れた位置に設けられている。このような位置に錘１７を設けることにより、モータ１５、樹脂部材１６、錘１７の一体物の重心位置を、モータ１５の回転出力軸１５ａの軸心とは偏心した位置にすることができる。したがって、本水槽洗浄装置１を水槽内の水に浮かせたときに、必ず錘１７を下にして浮く姿勢を維持することができるとともに、回転駆動軸１５ａが回転したときに錘１７の作用によってモータ１５自身は自転せずに、ケース１１を回転させることができる。
【００１３】
図１に示すように、ケース１１の外表面には、羽根固定バンド１８が取り付けられている。この羽根固定バンド１８は、モータ１５の出力軸１５ａの軸心方向と直交する平面と交差するケース１１の円周方向位置に設けられている。このように羽根固定バンド１８がケース１１に取り付けられていると、モータ１５が駆動してケース１１が回転したときに、羽根固定バンド１８がモータ回転軸１５ａを軸心として鉛直方向に回転する。
【００１４】
また、羽根固定バンド１８には、図２に示すように７枚の羽根部材１２が略等間隔に取り付けられている。この羽根部材１２は、羽根固定バンド１８がケース１１に取り付けられている円周方向に対してそれぞれ略同一の傾斜角度をもって斜めに取り付けられている。羽根部材１２の上記傾斜角度は、ケース１１が回転したときに、ブラシ１３が取り付けてある側を先頭として移動する方向（押し付け方向）、及び、この押し付け方向に垂直な方向（進行方向）、のそれぞれの方向成分の推力を得て、両方向の合力である斜め方向に進むような角度方向となるように設定される。
【００１５】
本例においては、例えば図１において水槽洗浄装置１が回転して羽根固定バンド１８が図の矢印Ｂ方向に示す方向に回転するときに、この矢印Ｂ方向に対して羽根部材１２の先端部分１２Ａが末端部分１２Ｂよりもブラシ１３側に近づくような状態で、羽根部材１２が傾斜される。このような傾斜が設けられていると、水槽洗浄装置１が水槽の水に浮いている場合に、下側に来る羽根部材の回転で上記説明した斜め方向に推力が得られる。
【００１６】
上記構成において、以下に、本例における水槽洗浄装置１を浴槽の洗浄に適用した場合の作動を説明する。まず、お湯（水）が入った浴槽内に、本水槽洗浄装置１を浮かべる。尚、本水槽洗浄装置１には、モータ１５や錘１７などの重量部材が含まれるが、ケース１１内の中空部分を大きくとって、全体としてお湯（水）に浮かぶように設計する。
【００１７】
水槽洗浄装置１をお湯（水）に浮かべると、錘１７の重量によって、錘１７が下側に来るように水槽洗浄装置１の姿勢が定まる。即ち、図１に示す状態で浴槽洗浄装置１がお湯（水）に浮かぶことになる。この図１の状態から分かるように、浴槽洗浄装置１がお湯（水）に浮かんだ状態では、ブラシ１３は水平方向に向いて配置され、複数の羽根部材１２の形成方向は、鉛直平面に並行な円周方向とされる。
【００１８】
このような状態で、使用者が水槽洗浄装置１の押圧部１４を押圧する（または、押圧部１４を押した後に水槽洗浄装置１を浴槽のお湯に浮かせる。）。すると、押圧部１４からの押圧力が伝達棒１１ｂを経てモータ１５のスイッチ１５ｂに伝わり、スイッチ１５ｂがオンされてモータ１５が作動する。モータ１５が作動すると、回転出力軸１５ａが回転する。すると、この回転力は、突起部１１ａを介してケース１１にも伝達される。
【００１９】
回転出力軸１５ａからの回転駆動力により、モータ１５またはケース１１のどちらかが回転させられるが、モータ１５には、樹脂部材１６を介して錘１７が一体的に取り付けられており、これら一体物の重心が回転出力軸１５ａの軸心とは偏心した位置とされているため、モータ１５を回転させるための負荷が大きく、その結果、モータ１５は自転せずにケース１１が回転する。また、錘１７の作用によって水槽洗浄装置１の姿勢が図１の如く保たれているので、この図１の姿勢の状態（つまり、ブラシ１３が水平方向向きで、かつ複数の羽根部材１２の形成方向が線直平面に並行な円周方向となる状態）を維持しつつ、ケース１１が回転する。
【００２０】
ケース１１が例えば図２の時計回り方向に回転すると、羽根固定バンド１８が図１の矢印Ｂ方向で示す方向に向けて回転する。これに伴い、羽根部材１２も回転する。このため、図１において下部分に来る羽根部材１２が浴槽内のお湯（水）を漕ぐ働きをする。この場合において、前述のように羽根部材１２が傾斜して設けられているため、回転方向に対して斜め方向に推力を得て、浴槽洗浄装置１は回転方向に対して斜め方向に進む。
【００２１】
図５は、本例における水槽洗浄装置１を浴槽に浮かべて作動させた際の、水槽洗浄装置１の動きを示す図であり、浴槽を上から見た図である。まず、地点Ａに水槽洗浄装置１を浮かべ、作動させると、水槽洗浄装置１は斜め方向（図５において左方向となる押し付け方向と、図５において上方向となる進行方向との合成方向）に移動して、地点Ｂに到達する。地点Ｂでは、浴槽の内壁によってこれ以上図示左方向（押し付け方向）に進めないため、図示上方向（進行方向）にのみ進行する。この場合において、図示左方向（押し付け方向）に進む推力によってブラシ１３が浴槽の内壁に押し付けられる。さらに、ケース１１の回転に伴ないブラシ１３も回転しているため、これらの押し付け力と回転力によって、浴槽の内壁の汚れを掻き落すことができる。
【００２２】
このようにして浴槽の内壁の汚れを掻き落しながら進行方向に沿って浴槽の内壁を移動し、地点Ｃまで到達する。地点Ｃは、浴槽の角部である。したがって、水槽洗浄装置１は、押し付け方向にも進行方向にも進めないようになるが、このとき、羽根部材１２が内壁に当り、そのときの衝撃力が羽根部材１２の傾斜によって方向転換される。その結果、水槽洗浄装置１が方向を変換する。方向転換した後は、再び進行方向（地点Ｃにおいては進行方向は図示右方向）に沿って浴槽内壁を移動して、汚れを掻き落す。このようにして、本例の水槽洗浄装置１は、内壁の角部に到達しても、自動的に方向転換することができる。
【００２３】
上記のようにして、内壁の汚れを掻き落しつつ進行方向に進行し、角部では方向転換することにより、地点Ｂ→地点Ｃ→地点Ｄ→地点Ｅ→地点Ｆ→地点Ｇ→地点Ｈ→地点Ｉ→地点Ｂというループを繰返すことによって、浴槽の内壁を洗浄することができる。
【００２４】
尚、上記作動だけであると、浴槽の内壁の全周を洗浄することができるものの、湯面の高さ位置のみを洗浄するだけであり、浴槽全体を洗浄することができない。この場合においては、湯を排水させた状態で本例の水槽洗浄装置を浴槽内で作動させることにより、湯面高さも随時低くなっていくため、周方向のみならず高さ方向にも移動して浴槽を洗浄することができ、ひいては浴槽の内壁面の全面を洗浄することができる。
【００２５】
以上、本発明の実施の形態について説明したが、本発明は、上記実施形態に限定されるべきものではない。例えば、上記実施形態においては、突起部１１ａはケース１１の中心に向かって延在している構成を示したが、必ずしも中心に向かって延在している必要はなく、ケース内部に向かっていれば、多少のずれは許される。また、上記実施形態では、本水槽洗浄装置を浴槽の洗浄に使用する例を説明したが、金魚鉢などの水槽や、その他液体を収容する容器一般の洗浄にも使用できる。また、上記実施の形態において、ケース１１の内部にタイマー等を入れておき、モータ１５の作動と連動する回路を組めば、所定時間だけ水槽洗浄装置を駆動させ、その後は自動的に停止させることもできる。その他、本発明の技術的思想を逸脱しない限りにおいて、様々な変更が適用可能である。
【図面の簡単な説明】
【００２６】
【図１】本発明の実施形態例における、水槽洗浄装置の正面図である。
【図２】図１におけるＡ方向矢視図である。
【図３】本発明の実施形態例における水槽洗浄装置の内部構造を図１の方向から見た図である。
【図４】本発明の実施形態例における水槽洗浄装置の内部構造を図２の方向から見た図である。
【図５】本発明の実施形態例における水槽洗浄装置を浴槽にセットしたときの作動状態を示す図である。
【符号の説明】
【００２７】
１：水槽洗浄装置
１１：ケース、  １１ａ：突起部（突起）
１２：羽根部材
１３：ブラシ（ブラシ手段）
１５：モータ（回転駆動手段）、  １５ａ：回転出力軸
１７：錘
【図１】
2005253779.tif 000003
【図２】
2005253779.tif 000004
【図３】
2005253779.tif 000005
【図４】
2005253779.tif 000006
【図５】
2005253779.tif 000007